(57)【特許請求の範囲】
【請求項１】
頭部を有する固定ピンにより壁面に固定される固定板の所定位置に、吊り下げフック部を設け、前記固定板に裏面側から表面側に向かって隆起部を形成し、この隆起部に、少なくとも１つの固定ピン用孔を、該孔を通る固定ピンが前記壁面に対して斜めに延びるようになるように設け、前記隆起部に、前記孔から半径方向に所定長延びるスリットを形成すると共に、前記固定ピンに、その頭部から少なくとも前記隆起部の板厚よりも大きな間隔を隔てた位置に半径方向に延び、前記スリットを通過することができるピン状ストッパ部を設けた吊り下げ具において、
前記固定板は、横に細長い矩形をしており、前記固定板の上部の左右方向の中心に縦方向に間隔おいて複数の位置決め孔が形成されており、これらの位置決め孔の両側に、１つずつ吊り下げフック部が設けられており、それらのフック部の両側には、それぞれ上部の隆起部が設けられており、また、前記固定板の下部には、横方向に間隔を置いて、複数の下部の隆起部が設けられており、前記上部の隆起部の固定ピン用孔は、該孔を通る固定ピンが前記壁面に対して斜め下方に延びるようになっており、前記下方の隆起部の固定ピン用孔は、該孔を通る固定ピンが前記壁面に対して斜め横方向に延びるようになっていることを特徴とする吊り下げ具。
【発明の詳細な説明】
【技術分野】
【０００１】
本発明は、壁面に小物類を吊り下げるために、壁面に固定される吊り下げ用フックに関するものである。
【背景技術】
【０００２】
この種の吊り下げ用フックは、壁面に固定される固定板の下方部分に、フック部を設けた構造であり、固定板は、壁面に対して釘や接着剤によって固定されるようになっている。
【０００３】
ところで、近年、建物の壁面を、石膏ボードで形成することが多くなっているが、石膏ボードの壁面は釘がきかないため、前記のような吊り下げ用フックの固定板を石膏ボードの壁面に釘で打ちつけても、釘がすぐに抜けて固定板が壁面から外れて落ちるという問題がある。
【０００４】
このため、従来、吊り下げ用フックの固定板を石膏ボードの壁面に釘で固定する場合には、石膏ボードを打ち付けている下地桟の位置を石膏ボードの上から探し出し、下地桟のある部分に固定板を固定するようにしている。
【０００５】
したがって、従来、石膏ボードの壁面に、吊り下げ用フックを設置する場合、設置個所が下地桟のある個所に限定されるという問題がある。
【０００６】
そこで、特開平０８−７０９８４号公報では、石膏ボードの壁面に、吊り下げ用フックの固定板を釘で固定した場合に、釘が抜けにくい構造の吊り下げ用フックが提案されている。
【０００７】
この公開公報で提案された吊り下げ用フックは、壁面に固定される固定板の下方部分に、吊り下げ用のフック部を設けた吊り下げ用フックにおいて、前記固定板に、裏面側から表面側に隆起する隆起部を形成し、この隆起部に、複数の釘孔を、壁面に対して斜め下方に向けて形成したものである。
【先行技術文献】
【特許文献】
【０００８】
【特許文献１】特開平０８−７０９８４号
【発明の開示】
【発明が解決しようとする課題】
【０００９】
前記公報に記載された吊り下げ用フックにおいては、前記釘孔に、釘を打ち込むと、釘孔に沿って釘が壁面に対して斜め下方に向けて打ち込まれるので、固定板の下方部分に設けたフック部に、物品を掛けても、ある程度釘が抜けにくくなるが、壁が前記したように石膏ボードのときは、木の時のように壁材が釘を締め付けることがないので、未だに釘が抜けやすいという問題がある。
【００１０】
そこで本発明は、たとえ壁材が石膏ボードであっても固定ピン（釘）の抜けを極力防止できる吊り下げ具を提供することを目的とする。
【課題を解決するための手段】
【００１１】
前記課題は、下記（１）の構成の本発明の吊り下げ具により達成される。
（１）
頭部を有する固定ピンにより壁面に固定される固定板の所定位置に、吊り下げフック部を設け、前記固定板に裏面側から表面側に向かって隆起部を形成し、この隆起部に、少なくとも１つの固定ピン用孔を、該孔を通る固定ピンが前記壁面に対して斜めに延びるようになるように設け、前記隆起部に、前記孔から半径方向に所定長延びるスリットを形成すると共に、前記固定ピンに、その頭部から少なくとも前記隆起部の板厚よりも大きな間隔を隔てた位置に半径方向に延び、前記スリットを通過することができるピン状ストッパ部を設けた吊り下げ具において、
前記固定板は、横に細長い矩形をしており、前記固定板の上部の左右方向の中心に縦方向に間隔おいて複数の位置決め孔が形成されており、これらの位置決め孔の両側に、１つずつ吊り下げフック部が設けられており、それらのフック部の両側には、それぞれ上部の隆起部が設けられており、また、前記固定板の下部には、横方向に間隔を置いて、複数の下部の隆起部が設けられており、前記上部の隆起部の固定ピン用孔は、該孔を通る固定ピンが前記壁面に対して斜め下方に延びるようになっており、前記下方の隆起部の固定ピン用孔は、該孔を通る固定ピンが前記壁面に対して斜め横方向に延びるようになっていることを特徴とする吊り下げ具。
【発明の効果】
【００１２】
本発明の吊り下げ具は、前記したように、固定板に開けられた円形の固定ピン通し用の孔に連続してスリットを形成するとともに、固定用ピンに横方向に延びるピン状ストッパ部を設け、固定用ピンを石膏ボードに突き刺すとき、前記ピン状ストッパ部が前記スリットを通るようにし、その後、固定ピンを回転させて、スリットの位置から外し、ピン状ストッパ部が固定板の裏面に接触することにより、固定ピンが抜け出ない。
【図面の簡単な説明】
【００１３】
【図１】本発明の実施形態による吊り下げ具の正面図である。
【図２】図１に示した吊り下げ具に用いられる固定ピンの斜視図である。
【図３】図１に示した吊り下げ具の壁への固定状体を示す図である。
【図４】本発明の他の実施形態による吊り下げ具の固定板を示す斜視図である。
【発明を実施するための形態】
【００１４】
以下、添付図面を参照しつつ本発明の実施形態による吊り下げ具に付いて説明する。
【００１５】
本発明の実施形態による吊り下げ具１０は、固定板１２、および該固定板１２を壁面Ｗに固定する固定ピン３０を備えている。
【００１６】
前記固定板１２は、その所定位置（図では下部）に設けられた吊り下げフック部１４を備え、その上部には、裏面側から表面側に向かって立ち上がり、横方向に延びる隆起部１６が形成されている。この隆起部１６は、上側片部１６ａと下側片部１６ｂとからなり、該上側片部１６は、その上辺が壁面Ｗに接触し、そこから斜め下方に、壁面Ｗから離れる方向に所定長延びている。この上側片部１６には、固定ピン用孔１８が、該孔１８を通る固定ピンが前記壁面Ｗに対して斜め下方に延びるようになるように設けられている。前記上側片部１６には、前記孔１８から半径方向に所定長延びるスリット２０が形成されている。
【００１７】
前記固定ピン３０は、その上端に径の大きな頭部３２が設けられており、この頭部３２からピン本体３４が延びており、その先端が尖った形状となっている。ピン本体３４には、前記頭部３２から少なくとも前記上側片部１６の板厚よりも大きな間隔を隔てた位置に半径方向に延び、前記スリット２０を通過することができるピン状ストッパ部３６が設けられている。
【００１８】
次に、図１を参照しながら、本吊り下げ具１０の壁面Ｗへの取り付け工程について説明する。
まず、固定ピン３０を、そのピン状ストッパ部３６の位置が前記スリット２０の位置に合うようにして、孔１８を通して、壁面Ｗに打ち込む。この時、前記ピン状ストッパ部３６も前記スリット２０を通過して、上側片部１６の裏側に位置する。その後、固定ピン３０の頭部３２を把持して、ピンの中心軸の周りに、時計方向あるいは反時計方向に回転させ、ピン状ストッパ部３６を上側片部１６の背後に移動させ、これで取り付け工程を完了する。
【００１９】
このように、ピン状ストッパ部３６が上側片部１６の背後に位置しているので、抜けようとすると、ピン状ストッパ部３６が上側片部１６の背面に接触するので、固定ピン３０が抜け出るのを防止できる。
【００２０】
次に、図４を参照して、本発明の他の実施形態による吊り下げ具５０について簡単に説明する。なお、この実施形態の吊り下げ具５０においても、固定ピンを用いるが、先の実施形態の吊り下げ具１０の固定ピン３０と同じ形状であってよいので、図示および説明を省略する。
【００２１】
この吊り下げ具５０は、横に細長い矩形の固定板５２を有し、その上部の左右方向の中心に位置決め孔５４、５６が形成されており、その両側に、１つずつフック部５８、６０が設けられている。また、フック部５８、６０の両側には、それぞれ隆起部６２ａ、６２ｂ、６４ａ、６４ｂが設けられている。これらの隆起部には、前記と同様、固定ピン用の孔およびスリットが設けられている。また、図４に示されているように、前記固定板の下部には、横方向に間隔を置いて、複数の下部の隆起部が設けられている。
前記上部の隆起部の固定ピン用孔は、図３に示したものと同様に、該孔を通る固定ピンが前記壁面に対して斜め下方に延びるようになっており、一方、前記下方の隆起部の固定ピン用孔は、図４に示した隆起部の構造および向きから明瞭なように、該孔を通る固定ピンが前記壁面に対して斜め横方向に延びるようになっている。隆起部は、他の付加的なものを設けてもよい。
【００２２】
この吊り下げ具５０を壁面Ｗに取り付けるには、先ず、位置決め孔５４、５６に位置決め用のピン（図示せず）を通して位置決めを行い（特に左右の高さが、同じになるように）、その後、固定ピンを各隆起部の固定ピン用孔にとおして、壁に打ち込んで取り付ける。
【００２３】
本発明の吊り下げ具は、前記したように、固定板に開けられた円形の固定ピン通し用の孔に連続してスリットを形成するとともに、固定用ピンに横方向に延びるピン状ストッパ部を設け、固定用ピンを石膏ボードに突き刺すとき、前記ピン状ストッパ部が前記スリットを通るようにし、その後、固定ピンを回転させて、スリットの位置から外し、ピン状ストッパ部が固定板の裏面に接触することにより、固定ピンが抜け出ないという、大きな効果がある。
【符号の説明】
【００２４】
１０  吊り下げ具
１２  固定板
１４  フック部
１６  隆起部
１８  固定ピン用孔
２０  スリット
３０  固定ピン
３２  頭部
３４  ピン本体
【要約】
【課題】
たとえ壁材が石膏ボードであっても固定ピン（釘）の抜けを極力防止できる吊り下げ具を提供する。
【解決手段】
本発明の吊り下げ具は、頭部を有する固定ピンにより壁面に固定される固定板の所定位置に、吊り下げフック部を設け、前記固定板に裏面側から表面側に向かって隆起部を形成し、この隆起部に、少なくとも１つの固定ピン用孔を、該孔を通る固定ピンが前記壁面に対して斜め下方に延びるようになるように設けた吊り下げ具において、前記隆起部に、前記孔から半径方向に所定長延びるスリットを形成すると共に、前記固定ピンに、その頭部から少なくとも前記隆起部の板厚よりも大きな間隔を隔てた位置に半径方向に延び、前記スリットを通過することができるピン状ストッパ部を設けたことを特徴とする。
【選択図】図３【図１】
0005848836.tif 000002
【図２】
0005848836.tif 000003
【図３】
0005848836.tif 000004
【図４】
0005848836.tif 000005